(57)【要約】      （修正有）【課題】特別な道具が不要でＩＣカードを簡単に取り出すことができるコネクタを提供する。【解決手段】カードコネクタは、絶縁本体１０と、自動押出ユニット２０と、乗り枠３０と、を有し、絶縁本体に収容空間１００が形成され、収容空間に複数の端子１５が設置され、自動押出ユニットは、絶縁本体に取り付けられ、進退可能に収容空間へ突出するフック２１７を備えるレバー２１と、レバーを収容空間へ押圧しながらフックを収容空間に突出させるロックバネ２３と、収容空間へ突出する押出しバネ２５とを備え、乗り枠は、摺動可能に絶縁本体の収容空間に嵌め込まれ、一側に掛け穴３７が形成され、乗り枠を収容空間に挿し込む時に、フックが掛け穴に掛止し、乗り枠が収容空間の開口１０１から脱出できなくなり、乗り枠を収容空間から取り出す時には、レバーを枢転しながらフックが掛け穴から離れ、押出しバネが乗り枠を開口から押し出す。【選択図】図２
0003194306.tif 000002
【実用新案登録請求の範囲】
【請求項１】
内部に収容空間が形成され、前側に収容空間と連通する開口が形成され、該収容空間と対応する箇所に複数の端子が設置される絶縁本体と、
前記絶縁本体に取り付けられ、レバーと、ロックバネと、押出しバネと、を備え、その内、該レバーは、一端が絶縁本体に枢設され、内側に進退可能に収容空間へ突出するフックが設けられ、該ロックバネは、一端が絶縁本体に固定され、他端がレバーを収容空間へ押圧しながらフックを収容空間に突出させ、該押出しバネは、一端が絶縁本体に固定され、他端が収容空間における開口と反対する位置に突出する自動押出ユニットと、
摺動可能に前記絶縁本体の収容空間に嵌め込まれ、後側が押出しバネと当接され、一側にレバーのフックと掛止するための掛け穴が形成され、端子と対応する箇所に凹み部が形成される乗り枠と、を有し、
乗り枠を絶縁本体の収容空間に挿し込む時に、フックが掛け穴に掛止し、乗り枠が収容空間の開口から脱出することができず、乗り枠を絶縁本体の収容空間から取り出す時には、レバーを枢転しながらフックを掛け穴から離し、押出しバネによって、乗り枠を収容空間の開口から押し出すことを特徴とする取り出しやすいカードコネクタ。
【請求項２】
前記フックに係合面が形成され、
前記乗り枠の掛け穴に、乗り枠の摺動方向と垂直するように、収容空間の開口に面する接触面が設けられ、
前記フックが掛け穴に掛止する時に、係合面が接触面と平行するように接触することを特徴とする請求項１に記載の取り出しやすいカードコネクタ。
【請求項３】
前記フックにガイド面が形成され、
前記乗り枠の一側におけるフックと対応する箇所に傾斜角が形成され、該傾斜角にフックのガイド面と対応する傾斜面が形成されることを特徴とする請求項２に記載の取り出しやすいカードコネクタ。
【請求項４】
前記乗り枠の後側から前側までの幅が一致することを特徴とする請求項３に記載の取り出しやすいカードコネクタ。
【請求項５】
前記絶縁本体に枢軸が設けられ、
前記レバーは、枢設部と、延出部と、切替部とを備え、該枢設部に枢軸を枢設するための枢設穴が形成され、該延出部が枢設部から延設され、前記フックが延出部に凸設され、該切替部が延出部から延設されることを特徴とする請求項４に記載の取り出しやすいカードコネクタ。
【請求項６】
前記絶縁本体における開口の近傍に切替穴が凹設され、
前記レバーの切替部が切替穴に突出することを特徴とする請求項５に記載の取り出しやすいカードコネクタ。
【請求項７】
前記ロックバネは、固定段及び押圧段を備え、該押圧段が固定段から延出してレバーを押し付けることを特徴とする請求項６に記載の取り出しやすいカードコネクタ。
【請求項８】
前記押出しバネは、取付段及び押出し段を備え、該押出し段が乗り枠の後側と当接するように取付段から延設されることを特徴とする請求項７に記載の取り出しやすいカードコネクタ。
【請求項９】
遮蔽殻体が収容空間をカバーするように絶縁本体に組み合わされることを特徴とする請求項１乃至８の何れか１項に記載の取り出しやすいカードコネクタ。
【考案の詳細な説明】
【技術分野】
【０００１】
本考案は、特に道具が不要で、ＳＩＭカード（Ｓｕｂｓｃｒｉｂｅｒ  Ｉｄｅｎｔｉｔｙ  Ｍｏｄｕｌｅ，ＳＩＭ）や、メモリーカードなどのＩＣカードを簡単に取り出すことができるコネクタに関するものである。
【背景技術】
【０００２】
既存のデジタル装置、例えば、スマホーや、パネルパソコン、デジタルカメラなどは、殆どＩＣカードと電気接続するためのコネクタを設置しており、使用する時、ＳＩＭカードまたはメモリーカードをコネクタに挿し込んで、デジタルを通信させたり、データを送信したりすることができる。
【０００３】
既存のカードコネクタは、ベースと、複数の端子と、乗り台とを有し、該ベースに押出し孔が形成され、それらの端子がベースに設置され、該乗り台がカードを収納して摺動可能にベースに取り付けられる。カードをコネクタと電気接続する時に、まずカードを乗り台に合わせ、乗り台をベースに対して押し入れ、カード上の接点がコネクタの端子と接触して電気接続することができる。また、カードを取り出す時には、ピンを押出し孔に挿し込んで乗り台及びカードを押出させることができる。
【考案の概要】
【考案が解決しようとする課題】
【０００４】
しかしながら、既存のデジタル装置は、通常に出かける時に使用するものであり、外でカードを取り替える時に、必ずピンが必要であるが、使用者が通常にピンを持っていることはなく、他の鋭いものを代わって使い、非常に不便であった。
【課題を解決するための手段】
【０００５】
本考案に係る取り出しやすいカードコネクタは、
内部に収容空間が形成され、前側に収容空間と連通する開口が形成され、該収容空間と対応する箇所に複数の端子が設置される絶縁本体と、
前記絶縁本体に取り付けられ、レバーと、ロックバネと、押出しバネと、を備え、その内、該レバーは、一端が絶縁本体に枢設され、内側に進退可能に収容空間へ突出するフックが設けられ、該ロックバネは、一端が絶縁本体に固定され、他端がレバーを収容空間へ押圧しながらフックを収容空間に突出させ、該押出しバネは、一端が絶縁本体に固定され、他端が収容空間における開口と反対する位置に突出する自動押出ユニットと、
摺動可能に前記絶縁本体の収容空間に嵌め込まれ、後側が押出しバネと当接され、一側にレバーのフックと掛止するための掛け穴が形成され、端子と対応する箇所に凹み部が形成される乗り枠と、を有し、
なお、乗り枠が絶縁本体の収容空間に挿し込む時に、フックが掛け穴に掛止し、乗り枠が収容空間の開口から脱出することができなく、乗り枠が絶縁本体の収容空間から取り出す時には、レバーを枢転しながらフックが掛け穴から離れ、押出しバネによって、乗り枠を収容空間の開口から押し出すものである。
【０００６】
かかる取り出しやすいカードコネクタにおいて、
前記フックに係合面が形成され、
前記乗り枠の掛け穴に、乗り枠の摺動方向と垂直するように、収容空間の開口に面する接触面が設けられ、
前記フックが掛け穴に掛止する時に、係合面が接触面と平行するように接触することが好ましい。
【０００７】
かかる取り出しやすいカードコネクタにおいて、
前記フックにガイド面が形成され、
前記乗り枠の一側におけるフックと対応する箇所に傾斜角が形成され、該傾斜角にフックのガイド面と対応する傾斜面が形成されることが好ましい。
【０００８】
かかる取り出しやすいカードコネクタにおいて、
前記乗り枠の後側から前側までの幅が一致することが好ましい。
【０００９】
かかる取り出しやすいカードコネクタにおいて、
前記絶縁本体に枢軸が設けられ、
前記レバーは、枢設部と、延出部と、切替部とを備え、該枢設部に枢軸を枢設するための枢設穴が形成され、該延出部が枢設部から延設され、前記フックが延出部に凸設され、該切替部が延出部から延設されることが好ましい。
【００１０】
かかる取り出しやすいカードコネクタにおいて、
前記絶縁本体における開口の近傍に切替穴が凹設され、
前記レバーの切替部が切替穴に突出することが好ましい。
【００１１】
かかる取り出しやすいカードコネクタにおいて、
前記ロックバネは、固定段及び押圧段を備え、該押圧段が固定段から延出してレバーを押し付けることが好ましい。
【００１２】
かかる取り出しやすいカードコネクタにおいて、
前記押出しバネは、取付段及び押出し段を備え、該押出し段が乗り枠の後側と当接するように取付段から延設されることが好ましい。
【００１３】
かかる取り出しやすいカードコネクタにおいて、
遮蔽殻体が収容空間をカバーするように絶縁本体に組み合わせることが好ましい。
【考案の効果】
【００１４】
上述した技術手段によって、本考案に係る取り出しやすいカードコネクタは、以下のメリットを有する。
１．  自動的にロック可能：ＳＩＭカードまたはメモリーカードなどのカードを乗り枠に嵌め込んで絶縁本体の収容空間に挿し込むと、自動押出ユニットのフックが自動的に乗り枠の掛け穴に掛止してロックすることから、カード及び乗り枠が絶縁本体の開口から脱出することはない。
２．  取り出し道具が不用：カードを取り替える時に、使用者が手でレバーをスイッチしてフックを乗り枠の掛け穴から離れさせ、この時、押出しバネの付勢力によって、乗り枠を収容空間の開口から少し飛び出させ、使用者が乗り枠を引き出してカードを変更することができる。したがって、本考案のカードコネクタを既存のデジタル装置に用いれば、カードを挿しこんだり、取り出したりする時に、ピンなどの取り出し道具が不要で簡単に操作でき、使用上の利便性及び実用性が高い。
３．  スムーズな挿し込み：乗り枠の後側から前側までの幅が収容空間の幅よりやや狭くするように一致することから、乗り枠を収容空間に挿し込む時に、スムーズに摺動することができ、また、乗り枠が収容空間に対して斜めに摺動することも防止でき、乗り枠が動かないように収容空間に固定されることはない。
【図面の簡単な説明】
【００１５】
【図１】本考案に係る取り出しやすいカードコネクタの斜視図である。
【図２】本考案に係る取り出しやすいカードコネクタの分解斜視図である。
【図３】本考案に係る取り出しやすいカードコネクタの上面視平面図である。
【図４】本考案に係る取り出しやすいカードコネクタにおいて、カード及び乗り枠を絶縁本体に挿し込む状態を示す上面視平面図である。
【図５】本考案に係る取り出しやすいカードコネクタにおいて、カード及び乗り枠を絶縁本体に挿し込んだ状態を示す上面視平面図である。
【図６】本考案に係る取り出しやすいカードコネクタの他の実施例の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１及び図２に示すように、本考案に係る取り出しやすいカードコネクタの第一実施例は、絶縁本体１０と、自動押出ユニット２０と、乗り枠３０と、遮蔽殻体４０とを有し、該絶縁本体１０は、内部に収容空間１００が形成され、前側に収容空間１００と連通する開口１０１が形成され、該収容空間１００と対応する箇所に複数の端子１５が設置され、一側の後端近傍に枢軸１１が設けられ、一側の開口１０１の近傍に切替穴１０５が凹設される。
【００１８】
図１乃至図３に示すように、前記自動押出ユニット２０は、絶縁本体１０に取り付けられ、レバー２１と、ロックバネ２３と、少なくとも押出しバネ２５とを有する。その内、該レバー２１における、一端が絶縁本体１０に枢設され、内側に進退可能に収容空間１００へ突出するフック２１７が設けられ、該フック２１７にガイド面２１７１及び係合面２１７２が形成される。
【００１９】
前記レバー２１は、枢設部２１１と、延出部２１３と、切替部２１５とを備え、該枢設部２１１に枢設穴２１０が形成され、前記レバー２１が枢設穴２１０を介して枢軸１１に枢設される。該延出部２１３が細長状を呈して枢設部２１１から前方へ延設され、前記フック２１７が延出部２１３の内側に凸設される。該切替部２１５が切替穴１０５に突出するように延出部２１３の前端から延設される。使用する時に、使用者が切替部２１５をスイッチしてレバー２１を切り替えることができる。
【００２０】
前記ロックバネ２３における、一端が絶縁本体１０に固定され、他端がレバー２１を収容空間１００へ押圧しながら、レバー２１上のフック２１７を収容空間１００に突出させる。該ロックバネ２３は、固定段２３１及び押圧段２３２を備え、該固定段２３１が絶縁本体１０の一側の後端近傍に固定され、該押圧段２３２が固定段２３１から延出してレバー２１を押し付ける。
【００２１】
前記押出しバネ２５における、一端が絶縁本体１０の開口１０１と反対する側に固定され、他端が収容空間１００に突出するように延設される。該押出しバネ２５は、取付段２５１及び押出し段２５２を備え、該取付段２５１が絶縁本体１０の後側に固定され、該押出し段２５２が収容空間１００に突出するように取付段２５１から延設される。その押出し段２５２が乗り枠３０の後側縁部を当接しながら、その付勢力によって乗り枠３０を飛び出させることができる。
【００２２】
前記乗り枠３０は、脱着可能且つ摺動可能に絶縁本体１０の収容空間１００に嵌め込まれ、該乗り枠３０の後側３２が押出しバネ２５と当接され、該乗り枠３０の一側３３に掛け穴３７が形成され、レバー２１のフック２１７が掛け穴３７に掛止することができ、該掛け穴３７に、乗り枠３０の摺動方向と垂直するように、収容空間１００の開口１０１に面する接触面３７１が設けられる。フック２１７が掛け穴３７に掛止する時に、係合面２１７２が接触面３７１と平行するように接触する。なお、該乗り枠３０における端子１５と対応する箇所に凹み部３００が形成され、該凹み部３００にカード９０を嵌合して収納することができる。また、該乗り枠３０における端子１５と対応する箇所に、凹み部３００と連通する貫通孔３０５が形成され、該貫通孔３０５によって、端子１５がカード９０の接点と接触して電気接続することができる。
【００２３】
さらに、前記乗り枠３０の一側３３に掛け穴３７の近傍且つフック２１７と対応する箇所に傾斜角３５が形成され、該傾斜角３５にフック２１７のガイド面２１７１と対応する傾斜面３５１が形成される。該乗り枠３０の後側から前側までの幅が収容空間１００の幅よりやや狭くするように一致する。それによれば、乗り枠３０が収容空間１００に対して斜めに挿し込んで動かないように収容空間１００に固定するおそれがなく、乗り枠３０をスムーズに収容空間１００に挿し込むことができる。
【００２４】
前記遮蔽殻体４０が収容空間１００をカバーするように絶縁本体１０に組み合わされる。
【００２５】
図３乃至図５に示すように、カード９０をコネクタに挿し込んで使用する時に、まずそのカード９０を乗り枠３０の凹み部３００に嵌合して絶縁本体１０の収容空間１００へ押し入れ、そして、傾斜角３５の傾斜面３５１がフック２１７のガイド面２１７１と接触しながら奥へ摺動し続け、フック２１７を掛け穴３７に突き込むと、レバー２１のフック２１７が乗り枠３０を掛止するようになり、カード９０及び乗り枠３０をしっかりと絶縁本体１０に挿し込んで収容空間１００の開口１０１から脱出することができない。
【００２６】
一方、カード９０を取り出す時には、使用者がレバー２１の切替部２１５をスイッチしてレバー２１を枢転しながらフック２１７が掛け穴３７から離れ、この時、自動押出ユニット２０の押出しバネ２５によって、乗り枠３０を押出して収容空間１００の開口１０１を通って外側へ摺動させ、その後、使用者が乗り枠３０を取り出してカード９０を取り替えることができる。
【００２７】
図６に示すように、本考案に係る取り出しやすいカードコネクタの第二実施例は、殆ど第一実施例と同一であるが、絶縁本体１０ａに２枚または２枚以上の押出しバネ２５ａを有することが異なってもよい。
【符号の説明】
【００２８】
１０、１０ａ    絶縁本体
１００          収容空間
１０１          開口
１０５          切替穴
１１            枢軸
１５            端子
２０            自動押出ユニット
２１            レバー
２１０          枢設穴
２１１          枢設部
２１３          延出部
２１５          切替部
２１７          フック
２１７１        ガイド面
２１７２        係合面
２３            ロックバネ
２３１          固定段
２３２          押圧段
２５、２５ａ    押出しバネ
２５１          取付段
２５２          押出し段
３０            乗り枠
３００          凹み部
３０５          貫通孔
３２            後側
３３            一側
３７            掛け穴
３７１          接触面
４０            遮蔽殻体
９０            カード
【図１】
0003194306.tif 000003
【図２】
0003194306.tif 000004
【図３】
0003194306.tif 000005
【図４】
0003194306.tif 000006
【図５】
0003194306.tif 000007
【図６】
0003194306.tif 000008